(57)【要約】【課題】ハーネス型安全帯を形成する肩ベルトや腿ベルトの捩じりや絡みを防止することである。【解決手段】２本の長さ調整可能なベルト１０ａ、１０ｂのそれぞれを長さ方向の一部において互いに交差させ、その交差部に近接する部位からの折り返しによって肩掛け部１７を設け、その肩掛け部１７の前側端から垂れ下がって端部が作業者の大腿部の前側部位に至る左右一対の前側ベルト部１８の端部および前記交差部から垂れ下がって端部が大腿部の後側部位に至る左右一対の背側ベルト部１９の端部のそれぞれを、大腿部のそれぞれに巻き付けられる一対の腿ベルト２１のそれぞれに連結する。前側ベルト部１８の端部と腿ベルト２１の端部とで形成されるコーナ部を斜めに横切るようにしてサポートベルト４０を渡し、そのサポートベルト４０によって前側ベルト部１８や腿ベルト２１に捩じりや絡みが生じるのを防止する。【選択図】図１
2014111207.tif 000002
【特許請求の範囲】
【請求項１】
長さ方向の一部において交差し、その交差部において非分離とされた長さ調節可能な２本のベルトを有し、それぞれのベルトを交差部に近接する部位からの折り返しによって作業者の肩に掛けられる肩掛け部を設け、その肩掛け部の前側端から垂れ下がって端部が作業者の大腿部の前側部位に至る左右一対の前側ベルト部の端部および前記交差部から垂れ下がって端部が大腿部の後側部位に至る左右一対の背側ベルト部の端部のそれぞれを、大腿部のそれぞれに巻き付けられる一対の腿ベルトのそれぞれに連結し、前記一対の前側ベルト部の胸部と対向する部位間に胸ベルトを設けたハーネス型安全帯において、
前記前側ベルト部の端部と腿ベルトの端部とで形成されるコーナ部を斜めに横切るようにしてサポートベルトを渡し、そのサポートベルトの前側ベルト部および腿ベルトに重なり合う両端部を互いに結合したことを特徴とするハーネス型安全帯。
【請求項２】
前記サポートベルトに、そのサポートベルトに外力の負荷により塑性変形して変形状態を維持する塑性変形性を有する芯材を設けた請求項１に記載のハーネス型安全帯。
【請求項３】
前記一対の背側ベルト部が、互いに重なり合って１本ベルトを形成する形成部の下端部から左右に分岐する逆Ｙ字状とされ、その一対の背側ベルト部と、腿ベルトの前記サポートベルトおよび背側ベルト部の結合部間のそれぞれに外力を負荷することにより塑性変形してその変形状態を維持する塑性変形性を有する芯材を設けた請求項１又は２に記載のハーネス型安全帯。
【請求項４】
前記一対の背側ベルト部が、前記交差部から左右に分岐して逆Ｖ字状をなし、その一対の背側ベルト部の下端部間に連結ベルトを渡して、その端部と背側ベルト部の重なり部を互いに結合し、その連結ベルトと、一対の背側ベルト部と、腿ベルトの前記サポートベルトおよび背側ベルト部の結合部間のそれぞれに外力を負荷することにより塑性変形してその変形状態を維持する塑性変形性を有する芯材を設けた請求項１又は２に記載のハーネス型安全帯。
【発明の詳細な説明】
【技術分野】
【０００１】
この発明は、高所作業時の安全性を確保するために作業者に装着されるハーネス型安全帯に関する。
【背景技術】
【０００２】
高所作業時に装着されるハーネス型安全帯は、柔軟性を有する一対の肩ベルトや一対の腿ベルトで形成されており、その一対の腿ベルトの着用時の形態から、Ｖ字型と水平型とに区分される。
【０００３】
ここで、Ｖ字型とは、例えば、特許文献１に記載されているように、着用状態において一対の腿ベルトがＶ字状をなすタイプのものをいい、一方、一対の腿ベルトが大腿部の付け根部を一巻きするタイプのものを水平型と称されている。
【０００４】
Ｖ字型や水平型のいずれのハーネス型安全帯も肩部に掛かるループ部や大腿部に掛かるループ部のそれぞれにおいて落下時の衝撃力が分散されるため、胴ベルト型安全帯に比較して着用者への負荷が小さいという特徴を有する。
【先行技術文献】
【特許文献】
【０００５】
【特許文献１】特開２００９−１１２３６８号公報
【発明の概要】
【発明が解決しようとする課題】
【０００６】
ところで、ハーネス型安全帯においては、上記のように、複数のループ部を有するため、ハーネス型安全帯を小さく折り畳み、あるいは、丸めて保管する際に各ベルトに捩れや絡みが生じ易い。
【０００７】
ここで、水平型のハーネス型安全帯においては、腿ベルトの両端部にバックルを取り付け、そのバックルによりループ部を開閉可能として装着の容易化を図るようにしているが、バックルの係合解除によりループ部を開くと腿ベルトが帯状に展開し、ハーネス型安全帯を折りたたんで保管する際や、展開して着用する際に腿ベルトの端部のバックルが肩ベルトで形成されるループ部を潜って捩じりが生じたり、絡まり合うことが多くある。その捩れや絡みの取り除きに非常に手間がかかり、正確な着用に時間を要するという問題がある。
【０００８】
この発明の課題は、ハーネス型安全帯を形成する肩ベルトや腿ベルトの捩じりや絡みを防止することである。
【課題を解決するための手段】
【０００９】
上記の課題を解決するために、この発明においては、長さ方向の一部において交差し、その交差部において非分離とされた長さ調節可能な２本のベルトを有し、それぞれのベルトを交差部に近接する部位からの折り返しによって作業者の肩に掛けられる肩掛け部を設け、その肩掛け部の前側端から垂れ下がって端部が作業者の大腿部の前側部位に至る左右一対の前側ベルト部の端部および前記交差部から垂れ下がって端部が大腿部の後側部位に至る左右一対の背側ベルト部の端部のそれぞれを、大腿部のそれぞれに巻き付けられる一対の腿ベルトのそれぞれに連結し、前記一対の前側ベルト部の胸部と対向する部位間に胸ベルトを設けたハーネス型安全帯において、前記前側ベルト部の端部と腿ベルトの端部とで形成されるコーナ部を斜めに横切るようにしてサポートベルトを渡し、そのサポートベルトの前側ベルト部および腿ベルトに重なり合う両端部を互いに結合した構成を採用したのである。
【００１０】
上記のように、前側ベルト部の端部と腿ベルトの端部間にサポートベルトを斜めにかけ渡して前側ベルト部および腿ベルトに重なり合う両端部のそれぞれを互いに結合することにより、サポートベルトによって前側ベルト部の端部および腿ベルトの端部の折れ曲がりを抑制することができ、前側ベルト部と腿ベルトの連結部がベルトおよび腿ベルトで形成されるループ空間内を潜り抜けて、前側ベルト部および腿ベルトに捩じりが生じて絡み合ったりすることはない。
【００１１】
ここで、サポートベルトに、外力の負荷により塑性変形して変形状態を維持する塑性変形性を有する芯材を設けておくと、前側ベルト部と腿ベルトの連結部がループ空間を潜り抜けるのをより確実に防止することができ、腿ベルトの端部の捩じりや絡みをより効果的に防止することができる。
【００１２】
芯材は、多数本の並列された芯線からなるものであってもよく、あるいは、その多数本の芯線をテープ状にしたものであってもよい。さらには、帯状の金属薄板からなるものであってもよい。
【００１３】
この発明に係るハーネス型安全帯において、一対の背側ベルト部は、互いに重なり合って１本ベルトを形成する形成部の下端部から左右に分岐する逆Ｙ字状とされたものであってもよく、あるいは、交差部から左右に分岐して逆Ｖ字状をなし、その一対の背側ベルト部の下端部間に連結ベルトを渡して、その端部と背側ベルト部の重なり部を互いに結合したＡ字状のものであってもよい。
【００１４】
一対の背側ベルト部が逆Ｙ字状とされたハーネス型安全帯において、一対の背側ベルト部、腿ベルトのサポートベルトおよび背側ベルト部の結合部間およびサポートベルトのそれぞれに、外力を負荷することにより塑性変形してその変形状態を維持する塑性変形性を有する芯材を設けておくと、２本のベルトの交差部を持ってハーネス型安全帯を吊下げ支持することにより、着用時の形態を簡単に作り出すことができる。
【００１５】
一方、一対の背側ベルト部がＡ字状とされたハーネス型安全帯においても、連結ベルト、一対の背側ベルト、腿ベルトのサポートベルトおよび背側ベルト部の結合部間およびサポートベルトのそれぞれに、外力を負荷することにより塑性変形してその変形状態を維持する塑性変形性を有する芯材を設けておくと、これらのベルトはハーネス型安全帯を脱ぐ状態においても着用時の形態を維持するため、２本のベルトの交差部を持ってハーネス型安全帯を吊下げ支持することにより、着用時の形態を簡単に作り出すことができる。
【発明の効果】
【００１６】
この発明においては、上記のように、前側ベルト部の端部と腿ベルトの端部間にサポートベルトを斜めに渡して前側ベルト部および腿ベルトに重なり合う両端部のそれぞれを互いに結合したことにより、腿ベルトと前側ベルト部の連結部がベルトと腿ベルトで形成されるループ空間に向けて折れ曲がるのを抑制することができ、腿ベルトと前側ベルト部の連結部がループ空間内を潜り抜けて、その前側ベルト部や腿ベルトに捩じりや絡みが生じるのを防止することができ、着用の容易化を図ることができる。
【図面の簡単な説明】
【００１７】
【図１】この発明に係るハーネス型安全帯の実施の形態を示す背面図
【図２】図１に示すハーネス型安全帯の着用状態を示す正面図
【図３】図１に示すハーネス型安全帯の着用状態を示す背面図
【図４】図１のIV−IV線に沿った断面図
【図５】この発明に係るハーネス型安全帯の他の実施の形態を示す背面図
【発明を実施するための形態】
【００１８】
以下、この発明の実施の形態を図面に基づいて説明する。図１に示すように、この発明に係るハーネス型安全帯は一対のベルト１０ａ、１０ｂを有している。一対のベルト１０ａ、１０ｂのそれぞれは、肩ベルト１１と、その肩ベルト１１の一端部に接続された長さ調整ベルト１２とからなる。
【００１９】
長さ調整ベルト１２は、肩ベルト１１の端部に取り付けられた２枚の角形リングからなる長さ調整具１３に一端部が挿通されて肩ベルト１１に接続され、その長さ調整具１３から折り返された折り返しベルト１２ａを押し引きすることによって長さ調整される。折り返しベルト１２ａは、長さ調整ベルト１２に装着された環止め板１４の平行一対のベルト挿入孔に挿入されて長さ調整ベルト１２に重なり合う状態に保持される。
【００２０】
肩ベルト１１および長さ調整ベルト１２のそれぞれは合成繊維の織り込みにより形成されている。実施の形態では、ポリエステル繊維（テトロン）の織り込みにより形成されて柔軟性を有している。
【００２１】
一対のベルト１０ａ、１０ｂは、肩ベルト１１の長さ方向の一部において交差する状態とされ、その交差部は環止め板１５の取り付けにより結合されて非分離とされて重なり合う状態を保持している。
【００２２】
ここで、環止め板１５は、図では詳細に示されていないが、上部両側および下部のそれぞれに長孔からなる平行一対のベルト挿入孔が３組形成され、一対のベルト１０ａ、１０ｂの一方は、上部一側の一対のベルト挿入孔および下部の一対のベルト挿入孔のそれぞれに挿入され、他方のベルトは上部他側の一対のベルト挿入孔および下部の一対のベルト挿入孔のそれぞれに挿入されて非分離状態とされている。
【００２３】
環止め板１５の下部の一対のベルト挿入孔に挿入されたベルト１０ａ、１０ｂの折り返し部にはＤ環と称される環体１６が取り付けられている。
【００２４】
一対のベルト１０ａ、１０ｂにおける肩ベルト１１のそれぞれは交差部に近接する部位からの折り返しによって作業者の肩に掛けられる肩掛け部１７が設けられ、その肩掛け部１７の前側端から垂れ下がる前側ベルト部１８の長さ調整ベルト１２の端部は、ハーネス型安全帯の着用状態で作業者の大腿部の前側部位に臨む状態とされている。
【００２５】
一方、一対のベルト１０ａ、１０ｂの交差部から垂れ下がる背側ベルト部１９は、上下に間隔をおいて設けられた一対の環止め板２０により互いに重なり合って１本ベルトを形成する状態とされると共に下側の環止め板２０から左右に分岐されて逆Ｙ字状とされている。
【００２６】
ここで、図１に示す一対のベルト１０ａ、１０ｂのうち、左側のベルト１０ａにおける背側ベルト部１９の下端部は右側に分岐し、一方、右側のベルト１０ｂにおける背側ベルト部１９の下端部は左側に分岐し、それぞれの背側ベルト部１９の端部がハーネス型安全帯の着用状態で作業者の大腿部の後側部位に臨む状態とされている。
【００２７】
一対のベルト１０ａ、１０ｂの相互において、一方のベルト１０ａにおける前側ベルト部１８の下端部と他方のベルト１０ｂにおける背側ベルト部１９の下端部間および他方のベルト１０ｂにおける前側ベルト部１８の下端部と一方のベルト部１０ａにおける背側ベルト部１９の下端部間のそれぞれに腿ベルト２１が取り付けられている。
【００２８】
ここで、一対のベルト１０ａ、１０ｂにおける前側ベルト部１８の下端部は腿ベルト２１の一端部に重ね合わされて縫製による手段を介して結合され、また、一対のベルト１０ａ、１０ｂにおける背側ベルト部１９の下端部は腿ベルト２１の長さ方向の中間部に重ね合わされて縫製による手段を介して結合されている。
【００２９】
一対の腿ベルト２１は、作業者の大腿部に対して巻き付け可能な長さとされ、その両端部には互いに掛け外し可能なバックル２２、２３が取り付けられている。そのバックル２２、２３を互いに係合することにより腿ベルト２１はループ部を形成する装着状態に保持される。
【００３０】
一対のベルト１０ａ、１０ｂの相互において、一対の前側ベルト部１８の胸部と対向する部位間には胸ベルト２４ａ、２４ｂが設けられ、その胸ベルト２４ａ、２４ｂの端部に互いに掛け外し可能なバックル２５，２６が設けられている。
【００３１】
上記の構成からなるハーネス型安全帯の着用に際しては、一対の肩掛け部１７を肩に掛けて背側ベルト部１９を背中に沿わせ、一対の腿ベルト２１を大腿部に巻き付け、その腿ベルト２１の端部のバックル２２、２３を互いに係合して巻き付け状態を保持する。また、一対の胸ベルト２４ａ、２４ｂの端部のバックル２５、２６を互いに係合して胸ベルトを連結状態とする。図２および図３はハーネス型安全帯の着用状態を示している。
【００３２】
ここで、ハーネス型安全帯は単独で使用する場合と、図１および図５の鎖線で示す胴ベルト２７と併用して使用する場合とがあり、ベルト１０a、１０ｂの長さ調整ベルト１２の一部に短ベルト２８の両端部が取り付けられて、その短ベルト２８と長さ調整ベルト１２の重なり部に胴ベルト２７が挿入される袋部が設けられている。
【００３３】
ハーネス型安全帯においては、ベルト１０ａ、１０ｂを形成する肩ベルト１１および長さ調整ベルト１２や腿ベルト２１のそれぞれが柔軟性を有し、また、一対の腿ベルト２１のそれぞれはハーネス型安全帯の脱衣状態でバックル２２、２３が係合解除されて帯状に展開する状態にあるため、腿ベルト２１の端部のバックル２２が一対のベルト１０ａ、１０ｂと腿ベルト２１で形成される左右のループ部を潜ってループ空間３０内に入り込み、捩じりが生じたり絡まり合うことが多くある。
【００３４】
この場合、捩れや絡みを取り除いて着用する必要があり、その捩れや絡みの取り除きに非常に手間がかかっていた。そのような不都合を解消するため、ここでは、前側ベルト部１８の下端部と腿ベルト２１の一端部とで形成されるコーナ部を斜めに横切るようにしてサポートベルト４０を渡し、そのサポートベルト４０の前側ベルト部１８および腿ベルト２１に重なり合う両端部のそれぞれを縫製による手段を介して互いに結合している。
【００３５】
上記のように、前側ベルト部１８の端部と腿ベルト２１の一端部間にサポートベルト４０を斜めに渡して、その両端部を前側ベルト部１８および腿ベルト２１のそれぞれに結合することにより、腿ベルト２１の一端部がベルト１０ａ、１０ｂと腿ベルト２１で形成されるループ空間３０に向けて折れ曲がるのを抑制することができる。その結果、腿ベルト２１の一端部がループ空間３０を潜り抜けて、ベルト１０ａ、１０ｂの前側ベルト部１８や腿ベルト２１に捩じりや絡みが生じるのを防止することができ、着用の容易なハーネス型安全帯を得ることができる。
【００３６】
ここで、図１に示すハーネス型安全帯においては、肩ベルト１１、腿ベルト２１の肩ベルト１１が連結された部位イとサポートベルト４０が連結された部位ロの間およびサポートベルト４０のそれぞれに、図４に示す芯材５０を設けて形状を維持する保形性を付与している。
【００３７】
芯材５０は、各ベルトの長さ方向に沿って設けられている。この芯材５０は、外力を加えると塑性変形して変形状態を維持する塑性変形性を有している。ここでは、塑性変形性を有するポリエチレン製の多数本の並列された芯線を芯材５０とし、その多数本の芯線からなる芯材５０を袋状とされたそれぞれのベルトの内部に設けるようにしているが、多数本の芯線からなる芯材５０をテープ状（帯状）とし、そのテープ状の芯材５０をベルトの内部に設けるようにしてもよく、あるいは、テープ状の芯材５０をそれぞれのベルトの表面に重ねて縫製等の手段により一体化してもよい。
【００３８】
さらに、芯材５０は、帯状の金属薄板からなるものであってもよい。その金属薄板からなる芯材５０においても、上記テープ状芯材５０と同様に、ベルトの内部に設けるようにしてもよい。あるいは、ベルトの表面に重ねて接着等の手段により固着するようにしてもよい。
【００３９】
上記のように、肩ベルト１１、腿ベルト２１の肩ベルト１１が連結された部位イとサポートベルト４０が連結された部位ロの間およびサポートベルト４０のそれぞれに芯材５０を設けたことにより、これらのベルトはハーネス型安全帯を脱衣する状態においても着用時の形態を維持するため、前側ベルト部１８に連結された腿ベルト２１の一端部がループ空間３０を潜り抜けるのをより確実に防止することができ、前側ベルト部１８や腿ベルト２１に捩じりや絡みが生じるのをより効果的に防止することができる。
【００４０】
また、肩ベルト１１、腿ベルト２１およびサポートベルト４０のそれぞれはハーネス型安全帯を脱ぐ状態においても着用時の形態を維持するため、一対のベルト１０ａ、１０ｂの交差部に設けられた環体１６を持ってハーネス型安全帯を吊下げ支持することにより、ハーネス型安全帯は着用時の形態を形づくり、ハーネス型安全帯を正確に素早く着用することができる。
【００４１】
なお、図１に示す実施の形態では、肩ベルト１１の全長にわたって芯材５０を設けるようにしたが、肩ベルト１１の背側ベルト部１９にのみ設けるようにしてもよい。
【００４２】
図１に示す実施の形態においては、一対のベルト１０a、１０ｂの背側ベルト部１９を互いに重なり合って１本ベルトを形成する形成部の下端部を左右に分岐させて逆Ｙ字状としたものを示したが、これに限定されるものではない。
【００４３】
例えば、図５に示すように、一対の背側ベルト部１９を交差部から左右に分岐して逆Ｖ字状とし、その一対の背側ベルト部１９の下端部間に連結ベルト４１を渡して、その端部と背側ベルト部１９の重なり部を互いに結合してもよい。
【００４４】
図５に示すハーネス型安全帯においては、図１に示すハーネス型安全帯と同様に、前側ベルト部１８の下端部と腿ベルト２１の一端部間にサポートベルト４０を設け、そのサポートベルト４０、肩ベルト１１および腿ベルト２１のそれぞれに芯材５０を設けて、前側ベルト部１８や腿ベルト２１に捩じりや絡みが生じるのを防止している。
【符号の説明】
【００４５】
１０ａ  ベルト
１０ｂ  ベルト
１７    肩掛け部
１８    前側ベルト部
１９    背側ベルト部
２１    腿ベルト
２４ａ  胸ベルト
２４ｂ  胸ベルト
４０    サポートベルト
４１    連結ベルト
５０    芯材
【図１】
2014111207.tif 000003
【図２】
2014111207.tif 000004
【図３】
2014111207.tif 000005
【図４】
2014111207.tif 000006
【図５】
2014111207.tif 000007